(57)【要約】      （修正有）【課題】高級感のある外観を備えた骨壺としても使用可能な収納具を提供する。【解決手段】略有底円筒形状の陶磁器製の容器本体１０と、略伏せ皿形状の漆器製の蓋体２０とからなる収納具であって、前記蓋体は、前記容器本体から自蓋体を脱着する際に手指で摘まれる把持部２１を備える収納具。【選択図】図１
0003191188.tif 000002
【実用新案登録請求の範囲】
【請求項１】
略有底円筒形状の陶磁器製の容器本体と、略伏せ皿形状の漆器製の蓋体とからなる収納具であって、
前記蓋体は、前記容器本体から自蓋体を脱着する際に手指で摘まれる把持部を備える収納具。
【請求項２】
前記容器本体には図柄が施され、
前記蓋体は春慶塗による漆器製である請求項１記載の収納具。
【請求項３】
前記容器本体に、前記蓋体とは別体の略伏せ椀形状の陶磁器製の蓋体を被せて骨壺として用いる請求項１又は２記載の収納具。
【考案の詳細な説明】
【技術分野】
【０００１】
本考案は、小物や遺骨等の種々の被収納体を収納できる収納具に関する。
【背景技術】
【０００２】
従来の骨壺として、火葬直後の遺骨は高温であるため、陶磁器製などの耐熱性を有する硬質無機材からなるものが知られている。しかし、墓に納めた後に分解されずに残った骨壺の処理には、粉砕して小片状・礫状にして土中に埋設する作業が必要となる。
【０００３】
一方、生分解性プラスチックのポリ乳酸をベースとして用い、補強剤にポリエステルを加えた混合物を原料とする微生物などにより分解される骨壺が知られているが、陶磁器製のような高級感に欠け、骨壺のイメージに即する外観にはなり難いという問題点があった。
【０００４】
関連技術として、土中に埋設しておくと数十年で腐敗菌の作用で分解されて自然の土に戻る木材などにより製作された骨壺を提供する技術が開示されている（特許文献１参照）。
【先行技術文献】
【特許文献】
【０００５】
【特許文献１】特開２００１−２４５９４１号公報
【考案の概要】
【考案が解決しようとする課題】
【０００６】
しかしながら、上記の関連技術は、骨壺の全体を土に還すために木材により製作するものに過ぎなく、高級感のある外観を備え、美術品としての価値を備えてインテリアの一部としても違和感なく、小物などを収納しておくことができる収納具として用いることは困難であるという問題点があった。
【０００７】
本考案の目的は、高級感のある外観を備えた骨壺としても使用可能な収納具を提供することにある。
【課題を解決するための手段】
【０００８】
本考案の収納具は、略有底円筒形状の陶磁器製の容器本体と、略伏せ皿形状の漆器製の蓋体とからなる収納具であって、蓋体は、容器本体から自蓋体を脱着する際に手指で摘まれる把持部を備える。
このように構成することにより、陶磁器製の容器本体と漆器製の蓋体により、高級感のある外観を実現できる。また、漆器製の蓋体であるので美術品としての価値も有する。さらに、略伏せ皿形状の漆器製の蓋体は把持部を備えるので脱着が容易となり複数回の収納作業も簡易に行える。
【０００９】
また、本考案の収納具は、前記容器本体には図柄が施され、前記蓋体は春慶塗による漆器製であってもよい。
このように構成することにより、より高いデザイン性が実現でき、また春慶塗による美術品としての価値や格調の高さも確保される。
【００１０】
また、本考案の収納具は、前記容器本体に、前記蓋体とは別体の略伏せ椀形状の陶磁器製の蓋体を被せて骨壺として用いることであってもよい。
このように構成することにより、蓋体が木材であると朽ちてしまうおそれがあるという不都合を回避して、陶磁器製の蓋体を利用して容器本体の開口を水密に塞いで骨壺としての機能を永続的に担保することができる。したがって、生前に愛着を持って使用していた収納具の容器本体に最後は自分の遺骨が納められて安らかに永眠することができる。
【考案の効果】
【００１１】
本考案によれば、高級感のある外観を備えた骨壺としても使用可能な収納具を提供することができる。
【図面の簡単な説明】
【００１２】
【図１】本考案の実施の形態に係る収納具の全体斜視図である。
【図２】本考案の実施の形態に係る収納具の蓋体の側面図である。
【図３】本考案の実施の形態に係る収納具の容器本体の斜視図である。
【図４】本考案の実施の形態に係る収納具（別の蓋体）の全体斜視図である。
【図５】本考案の実施の形態に係る収納具の別の蓋体の側面図である。
【考案を実施するための形態】
【００１３】
以下、本考案の一実施の形態を図面を参照しつつ説明する。図１に示すように、本実施形態の収納具Ｂは、容器本体１０と、容器本体１０に適合する蓋である蓋体２０とから構成されている。
【００１４】
図２に示すように、蓋体２０は容器本体１０の上面開口に挿入される短脚部（高さ寸法は０．３ｃｍ）と、当該短脚部より水平方向に張り出して容器本体１０の開口線（幅寸法０．５ｃｍ）で支持される顎部（幅寸法は３ｃｍ）とを有する。略伏せ皿形状である。伏せた状態での高さ寸法は１．３ｃｍである。
蓋体２０は容器本体１０には固定されず、容器本体１０の上面を開閉可能とする。
蓋体２０は春慶塗による漆器製である。木材を使用しているため陶磁器製等に比べて軽量であり取り扱いが容易で、かつ陶磁器製等のようにすれることもない。また、格調が高く高級感のある収納具Ｂにすることができる。
蓋体２０は、天頂部に容器本体１０から蓋体２０を脱着する際に手指で摘まれる把持部２１が形成されている。把持部２１は上側の径が約１．４ｃｍ、下側の径が１ｃｍであり、高さ寸法は０．６ｃｍである。
【００１５】
春慶塗とは、飛騨の匠の伝統工芸であり、約４００年以上前から匠の技の冴えを見せる木地、人を魅了するやさしい琥珀色の彩り、澄みきった美しさ、簡素でありながら、独特の風雅を醸し出すものとして知られている。特に、板を立体的に仕上げる曲げの技法が優れている。天然の木目の美しさをそのまま活かし、透き漆と呼ばれる透明の漆により琥珀色に塗り上げられる。また、軽くて丈夫である。飛騨春慶塗の場合、材料の木材は、栃、木曽檜（ヒノキ）、椹（サワラ）など木の香ただよう良材を用い、特に線と円とで立体的な美しさの曲物は椹を使用することが多い。
【００１６】
春慶塗の工程は以下のとおりである。木地師、塗師の二者一体の共同作業である。
（１）批木作業・割目作業
春慶塗には、板物・曲物・挽物等があるが、木地師は永年の経験により良くその材の特質を掴んで割目・批目・鉋(カンナ）目あるいは打出し模様の作業を行なう。
（２）曲げ作業・組立作業
曲物は檜・椹の批目にした板を数時間熱湯に浸し、コロによって曲げ、はさみ型枠によって目的の形にする。割目にした板には入念なみぞ・ほぞの工程を経て組みたてる。
（３）かんばとじ作業・仕上げ作業
十分に乾燥した木地を極薄に剥いだ桜かんばによって綴じる。底板に接着剤を用い、さらに木釘でとめ上面を仕上げる。
（５）色つけ
完成した木地に磨きを施し、色つけの濃淡を防ぐために目留め作業を行なう。黄色又は紅色の染料で下塗りする。その上に豆汁（大豆をつぶした汁）を２〜３回塗る。
（６）摺（スリ）塗
初摺(スリ）は、くるめた漆に之の油を混ぜたものを木地に摺りこむ。２回目以降は生漆を用い、この作業を幾回も重ねることによって、木地に漆が浸みこんで、上質な漆器となる。
（７）透き漆(漆の水分を抜き、之の油を混ぜたもの）により上塗りを行なう。漆は湿度により乾燥するので経験が必要とされる。
【００１７】
図３に示すように、容器本体１０は底面部と当該底面部の周辺より立ち上がる周壁部で成り、その底面部と周壁部を一体にした略有底円筒形状に形成され、上部側は全面開口している。お菓子、アクセサリー、身の回り品等の小物や遺骨等の様々な物を収納可能な空間部が形成される。底面部の径（１８ｃｍ）よりも上部の径（１９ｃｍ）が約１ｃｍほど大きい。高さ寸法は１８ｃｍである。周壁部の厚み寸法は０．４ｃｍである。
ここでは陶磁器製であるが、金属製・ガラス製等であってもよい。彩釉陶器、上釉陶器、釉下彩陶器、彩釉磁器、上釉磁器又は釉下彩磁器であってもよい。
表面（外面）側には絵柄等が描かれている。例えば干支の動物であってもよい。なお、蓋体２０にまたがって絵柄が描かれることであってもよい。見た目にも美しく、高級感のある収納具Ｂにすることができる。めっき、一部めっき、縁取り象嵌、七宝焼き（ｃｌｏｉｓｏｎｎe）製法、エナメル（ｅｎａｍｅｌ）加工、装飾物の添加がなされてもよい。
陶磁器製の容器本体１０は手作り、機械ロクロ、鋳込方法等により製作されてよい。
表面（外面）側、裏面（内面）側のいずれにも釉彩を施し、さらに高温での焼成により、吸水率を下げて、防湿機能を確保し、高硬度で、耐摩耗性、釉面に傷が生じにくく、永続的に光沢を保ち、しかも質密度を高めて、外部の湿気が浸透することなく、遺骨等の変質を防止する。
なお、容器本体１０内に、防炎処理した可撓性材（例えば、天然又は化学性の布材、紙材、メッシュ状樹脂材、又は金網等）からなる焼骨等の収納用の袋体を配置することであってもよい。
【００１８】
図４に、上述の蓋体２０とは別体の蓋体３０を用いた、本実施形態の収納具Ｂ´を示す。図４を参照すると、容器本体１０と、容器本体１０に適合する蓋である蓋体３０とから構成されている。
【００１９】
図５に示すように、蓋体３０は容器本体１０の上面開口に挿入される短脚部（高さ寸法は０．５ｃｍ）と、当該短脚部より水平方向に張り出して容器本体１０の開口線（幅寸法０．５ｃｍ）で支持される顎部（幅寸法は３ｃｍ）とを有する。略伏せ椀形状である。伏せた状態での高さ寸法は３ｃｍである。厚み寸法は０．４ｃｍである。
蓋体３０は容器本体１０には固定されず、容器本体１０の上面を開閉可能とする。
容器本体１０と同様の陶磁器製である。ここでは陶磁器製であるが、金属製・ガラス製等であってもよい。彩釉陶器、上釉陶器、釉下彩陶器、彩釉磁器、上釉磁器又は釉下彩磁器であってもよい。
表面（外面）側には蝶などの絵柄等が描かれている。めっき、一部めっき、縁取り象嵌、七宝焼き（ｃｌｏｉｓｏｎｎe）製法、エナメル（ｅｎａｍｅｌ）加工、装飾物の添加がなされてもよい。
陶磁器製の蓋体３０は手作り、機械ロクロ、鋳込方法等により製作されてよい。表面（外面）側、裏面（内面）側のいずれにも釉彩を施す。蓋体が木材であると朽ちてしまうおそれがあるという不都合を回避して、陶磁器製の蓋体３０を利用して容器本体１０の開口を水密・気密に塞いで収納具Ｂを骨壺として機能させ、その機能を永続的に担保することができる。
【００２０】
以下、本実施形態の収納具Ｂ、Ｂ´の使用例を説明する。
まず、容器本体１０にお菓子、アクセサリー、身の回り品等の小物を収納し、漆器製の蓋体２０を被せる。このような収納具Ｂは、高級感のある外観であり、また美術的な価値も有し、インテリアの一部として、例えばリンビング等に置いておき、使用者の生前において日常的に用いることができる。また、蓋体２０には把持部２１が形成されているので蓋の軽さと相俟って容易に取り外し作業ができるので収納されているものの取出しに便利である。
【００２１】
そして、使用者が亡くなった後には、遺骨等が収納された容器本体１０に陶磁器製の蓋体３０を被せて、収納具Ｂ´を骨壺として用いる。このように、生前に愛着を持って使用していた収納具Ｂの容器本体１０に最後は自分の遺骨が納められて安らかに永眠することができる。
【００２２】
その他、一々例示はしないが、本考案は、その趣旨を逸脱しない範囲内において、各構成部分の大きさや色・形状を含む種々の変更が加えられて実施されてよい。
【符号の説明】
【００２３】
Ｂ、Ｂ´      収納具
１０    容器本体
２０    蓋体
２１    把持部
３０    別の蓋体
【図１】
0003191188.tif 000003
【図２】
0003191188.tif 000004
【図３】
0003191188.tif 000005
【図４】
0003191188.tif 000006
【図５】
0003191188.tif 000007